(57)【特許請求の範囲】
【請求項１】
ベッド本体の幅方向の側部に、この幅方向と交差する長手方向に倒伏可能に設けられたベッド用側柵装置であって、
上記ベッド本体の幅方向の側部に設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を倒伏可能に解除するストッパ機構を具備し、
上記ストッパ機構は、
一側面と下端面が開放した袋状であって、上面に操作孔が開口形成されて上記上部横部材の一端に設けられ、内部に上記上部横部材の一端側に位置する上記支柱部材の上部が収容されて回動可能に連結されたケースと、
上記支柱部材の上部にこの支柱部材の軸方向に沿って弾性的に変位可能に設けられた係合ピンと、
上下方向に貫通する係合孔を有して上記ケース内の上記操作孔に対向する部位に設けられ倒伏状態にある上記支柱部材を起立方向へ回動させたときに上記係合ピンが上記係合孔の下端から係合する係合体と、
下端に上記係合孔の上端から内部に入り込む解除ピンを有し、上記ケース内の上記操作孔内に弾性的に変位可能かつ上端面が上記ケースの上面から上方へ突出しないよう上昇位置が制限されて設けられ上記支柱部材が起立して上記係合ピンが上記係合孔に係合した状態にあるときに押圧操作されると、上記解除ピンによって上記係合ピンを押圧して上記係合孔から外れるよう弾性的に変位させて上記支柱部材を倒伏可能とする解除部材と
を具備したことを特徴とするベッド用側柵装置。
【請求項２】
上記係合ピンは上記支柱部材に設けられた保持体に第１のばねによって上昇方向に弾性的に付勢されて保持されていて、
上記支柱部材を起立させて上記係合ピンが上記係合孔に係合すると、上記保持体の上面が上記係合体の下面に接触することを特徴とする請求項１記載のベッド用側柵装置。
【請求項３】
上記操作孔は上記ケースの上面に開口する小径部と、この小径部の下側に位置する大径部を有し、上記解除部材は上記小径部とほぼ同径の上部分と、上記大径部とほぼ同径の下部分を有して第２のばねによって上記係合体に上昇方向に弾性的に付勢されて設けられていて、
上記解除部材は、上記上部分と下部分との境界部が上記操作孔の小径部と大径部との境界部分に係合して上昇位置が制限されていることを特徴とする請求項１記載のベッド用側柵装置。
【請求項４】
上記下部横部材と上記上部横部材とには、隣り合う上記支柱部材間に位置する補助支柱部材が下端を上記下部横部材に、上端を上記上部横部材にそれぞれ回動可能に連結して設けられていて、
上記補助支柱部材は、上記支柱部材とともに倒伏させたときに、上記支柱部材に接触する部分がこの支柱部材の一部が入り込む凹状部を有する断面形状であることをと特徴とする請求項１記載のベッド用側柵装置。
【発明の詳細な説明】
【技術分野】
【０００１】
この発明はベッド本体の側部に設けられてストッパ機構によって起伏操作されるベッド用側柵装置に関する。
【背景技術】
【０００２】
たとえば、介護用などのベッド装置においては、利用者や利用者が利用する寝具などがベッド本体上からずれ落ちるのを防止するため、ベッド本体の側部に側柵装置を設けることができるようにしている。側柵装置には種々の構成のものがあり、その１つとしてベッド本体の幅方向の側部に、その幅方向と交差する長手方向に沿って折り畳み可能な構成とすることが知られている。
【０００３】
上記構成の側柵装置は、ベッド本体の、たとえばサイドフレームに、着脱可能に取り付けられる下横部材を有する。この下横部材には複数の支柱部材の下端が長手方向に対して所定間隔で回動可能に連結されて設けられる。各支柱部材の上端は上部横部材に対して所定方向、つまりベッド本体の長手方向に対して一方向に回動可能に連結されている。
【０００４】
上記上部横部材には、上記支柱部材をほぼ垂直に起立させたとき、そのうちの１つの支柱部材の上端部に設けられた突起に係合し、複数の支柱部材を起立状態で倒伏不能、つまり上記位置方向に対して回動不能に保持するストッパ機構が設けられている。
【０００５】
上記ストッパ機構は、上記支柱部材の起立状態を解除するための操作ハンドルが設けられ、この操作ハンドルを操作することで、上記支柱部材の起立状態を解除できるようになっている。
【０００６】
上記支柱部材が起立状態で保持されているとき、上記ストッパ機構を不用意に操作すると、上記支柱部材の起立状態が解除されることになる。そこで、上記ストッパ機構が不用意に操作されて上記支柱部材の起立状態が解除されることがない構成が採用されている。
【０００７】
上記操作ハンドルを不用意に操作できないようにするための構造として、上記ストッパ機構に上記操作ハンドルのロック機構を設け、このロック機構によるロック状態を解除したときにだけ、上記操作ハンドルを操作できるようにしている。
【０００８】
従来、上記ストッパ機構は、上記上部横部材の長手方向の一端部に設けられたケースを有し、このケースの下面側に一部を露出させて操作レバーが設けられ、上記ケースの上面に、上記支柱部材が起立状態で保持されたときに、上記操作レバーの操作を不能とする上記ロック機構としてのストッパ部材を設けるようにしている。
【０００９】
そして、上記支柱部材を倒伏させるときには、上記上部横部材の長手方向の一端部に設けられたケースを握って上記操作レバーを回動操作しながら、上記ストッパ部材を上記上部横部材の長手方向に沿ってスライド操作することで、上記ロック機構によるロック状態が解除され、上記支柱部材を倒伏させることができるようになっている。
【先行技術文献】
【特許文献】
【００１０】
【特許文献１】特許第３０２９０２６号公報
【発明の概要】
【発明が解決しようとする課題】
【００１１】
しかしながら、上述した構成のストッパ機構によると、たとえばベッド本体上で仰臥した利用者が上記上部横部材の端部を掴んで立ち上がるとき、上記上部横部材の端部に設けられたストッパ機構のケースを握ってしまうことがある。ストッパ機構のケースを握ると、上記操作レバーが操作されることがあり、それと同時にケースを握った手がその上面に設けられたストッパ部材に掛かることになるから、このストッパ部材をスライドさせてしてしまうということがある。
【００１２】
その場合、ストッパ機構のロック状態が解除され、起立状態にある支柱部材が倒伏することになる。つまり、利用者はベッド本体上で立ち上がる際、不用意に上記ストッパ機構のロック状態を解除してしまうということがある。
【００１３】
この発明は、ベッド本体上で仰臥した利用者が立ち上がるときなどに上部横部材のストッパ機構が設けられている部分を掴むようなことがあっても、上記ストッパ機構が不用意に操作されることがないようにしたベッド用側柵装置を提供することにある。
【課題を解決するための手段】
【００１４】
この発明は、ベッド本体の幅方向の側部に、この幅方向と交差する長手方向に倒伏可能に設けられたベッド用側柵装置であって、
上記ベッド本体の幅方向の側部に設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を倒伏可能に解除するストッパ機構を具備し、
上記ストッパ機構は、
一側面と下端面が開放した袋状であって、上面に操作孔が開口形成されて上記上部横部材の一端に設けられ、内部に上記上部横部材の一端側に位置する上記支柱部材の上部が収容されて回動可能に連結されたケースと、
上記支柱部材の上部にこの支柱部材の軸方向に沿って弾性的に変位可能に設けられた係合ピンと、
上下方向に貫通する係合孔を有して上記ケース内の上記操作孔に対向する部位に設けられ倒伏状態にある上記支柱部材を起立方向へ回動させたときに上記係合ピンが上記係合孔の下端から係合する係合体と、
下端に上記係合孔の上端から内部に入り込む解除ピンを有し、上記ケース内の上記操作孔内に弾性的に変位可能かつ上端面が上記ケースの上面から上方へ突出しないよう上昇位置が制限されて設けられ上記支柱部材が起立して上記係合ピンが上記係合孔に係合した状態にあるときに押圧操作されると、上記解除ピンによって上記係合ピンを押圧して上記係合孔から外れるよう弾性的に変位させて上記支柱部材を倒伏可能とする解除部材と
を具備したことを特徴とするベッド用側柵装置にある。
【００１５】
上記係合ピンは上記支柱部材に設けられた保持体に第１のばねによって上昇方向に弾性的に付勢されて保持されていて、
上記支柱部材を起立させて上記係合ピンが上記係合孔に係合すると、上記保持体の上面が上記係合体の下面に接触することが好ましい。
【００１６】
上記操作孔は上記ケースの上面に開口する小径部と、この小径部の下側に位置する大径部を有し、上記解除部材は上記小径部とほぼ同径の上部分と、上記大径部とほぼ同径の下部分を有して第２のばねによって上記係合体に上昇方向に弾性的に付勢されて設けられていて、
上記解除部材は、上記上部分と下部分との境界部が上記操作孔の小径部と大径部との境界部分に係合して上昇位置が制限されていることが好ましい。
【００１７】
上記下部横部材と上記上部横部材とには、隣り合う上記支柱部材間に位置する補助支柱部材が下端を上記下部横部材に、上端を上記上部横部材にそれぞれ回動可能に連結して設けられていて、
上記補助支柱部材は、上記支柱部材とともに倒伏させたときに、上記支柱部材に接触する部分がこの支柱部材の一部が入り込む凹状部を有する断面形状であることが好ましい。
【発明の効果】
【００１９】
この発明によれば、支柱部材が起立した状態にあるときに支柱部材に設けられた係合ピンとケースに設けられた係合体の係合孔との係合を外して上記支柱部材を倒伏させるための解除部材の上端面を上記ケースに形成された操作孔内に位置させるようにした。
【００２０】
つまり、上記支柱部材が起立状態にあるとき、上記解除部材は上記ケースの上面から突出していないから、利用者が立ち上がる場合などに上部横部材の一端に設けられたケースの部分を把持するようなことがあっても、上記解除部材が不用意に押圧操作されて支柱部材の保持状態が解除されるのを防止することができる。
【図面の簡単な説明】
【００２３】
【図１】この発明の一実施の形態を示す側柵装置が設けられたベッド装置の一部を示す正面図。
【図２】（ａ）は図１に示す側柵装置の平面図、（ｂ）は同じく側面図。
【図３】（ａ）〜（ｃ）はそれぞれ異なる形状の補助支柱部材を示す断面図。
【図４】（ａ）は支柱部材を垂直に起立した状態で倒伏不能に保持した状態を示すストッパ機構の断面図、（ｂ）は垂直に起立した支柱部材の保持状態を解除するために解除部材を押圧操作した状態を示すストッパ機構の断面図、（ｃ）は保持状態が解除された支柱部材が倒伏する状態を示すストッパ機構の断面図。
【発明を実施するための形態】
【００２４】
以下、この発明の一実施の形態を図面を参照しながら説明する。
【００２５】
図１はベッド装置を構成するベッド本体１の長手方向の一端部を示す正面図である。このベッド本体１は、図示しない脚体によって所定の高さで支持された床部２、この床部２の長手方向の両端部に立設されたボード体３（一方のみを図示）によって構成されている。
【００２６】
上記ベッド本体１の上記床部２の幅方向の側部には側柵装置４が設けられている。この側柵装置４は上記床部２の幅方向端部の上面に着脱可能に取り付けられる下部横部材６を有する。
【００２７】
上記下部横部材６は上記床部２の長さ寸法の半分よりも短い長さ寸法であって、その外側の側面には所定間隔で複数の支柱部材７が下端を回動可能に連結して設けられている。上記下部横部材６の隣り合う支柱部材７の間の部分には補助支柱部材８が下端を回動可能に連結して設けられている。
【００２８】
上記支柱部材７と補助支柱部材８の上端は上部横部材９に回動可能に連結されている。この上部横部材９の上記ボード体３側に位置する一端部には後述するストッパ機構１１を構成するケース１２が取り付けられていて、複数の支柱部材７のうち、上記上部横部材９の一端側である、上記ボード体３側に位置する１本の支柱部材７は上記ケース１２を介して上記上部横部材９に枢着されている。
【００２９】
上記支柱部材７は断面形状が円形状となる円筒状のパイプによって形成されている。上記補助支柱部材８は後述するように上記支柱部材７と補助支柱部材８を図１に実線で示す起立状態から鎖線で示すように倒伏させることで、上記支柱部材７と補助支柱部材８とが重なり合ったときに、図３に示すように上記円形状の支柱部材７の一部が入り込む凹状部８ａを有する形状に形成されている。
【００３０】
上記補助支柱部材８の具体的な形状を図３（ａ）〜（ｃ）に示す。すなわち、図３（ａ）に示す補助支柱部材８はアルミニウムなどの金属の帯状板を幅方向に円弧状に湾曲させることによって、一側面側に上記凹状部８ａを形成するようにしたものである。
【００３１】
図３（ｂ）に示す補助支柱部材８は幅方向両端部に凸部８ｂを有し、一対の凸部８ｂ間の両側にそれぞれ凹状部８ａを形成して断面形状がほぼＨ型状にしたもので、この場合の補助支柱部材８はたとえばアルミニウムなどの金属を引き抜き加工して成形される。
【００３２】
図３（ｃ）に示す補助支柱部材８はアルミニウムなどの金属製の円筒状の部材の外周面の周方向に１８０度はなれた部分を径方向内方へ押し潰して２つの凹状部８ａを形成するようにしたものである。
【００３３】
図３（ａ）のように凹状部８ａが１つであると、上記支柱部材７と補助支柱部材８を図１に実線で示す起立状態から鎖線で示すように倒伏させ、上記支柱部材７と補助支柱部材８とが重なり合ったときに、凹状部８ａ側、たとえば倒伏状態で上側に位置する凹状部８ａに支柱部材７の一部が入り込むことになる。
【００３４】
これに対して図３（ｂ）や図３（ｃ）に示すように２つの凹状部８ａが形成された補助支柱部材８によれば、倒伏した時にその下側と上側に位置する２つの支柱部材７の一部がそれぞれ上記凹状部８ａに入り込むから、凹状部８ａが１つの図３（ａ）に示す補助支柱部材８を用いた場合に比べて重なり合う複数の支柱部材７と補助支柱部材８とがなす図１にＨで示す高さ寸法を低くすることができる。
【００３５】
図３（ａ）〜（ｃ）のいずれの補助支柱部材８であっても、複数の支柱部材７と補助支柱部材８とがなす高さ寸法Ｈを低くすることができる。
【００３６】
上記ストッパ機構１１の上記ケース１２は、図４（ａ）〜（ｃ）に示すように合成樹脂や金属などの材料によって一側面と下端面が連続して開放した袋状に形成されている。
【００３７】
上記ケース１２の内部の開放端側には上記支柱部材７の上端が支軸１３によって枢着されている。この支柱部材７の上端には、円弧状凸部１４ａを有する挟み込み防止部材１４が上記円弧状凸部１４ａを上記ケース１２の開放した側面に向けて取り付けられている。
【００３８】
上記ケース１２の上記支柱部材７が取り付けられた箇所よりも上部には上記上部横部材９の端部が挿入される挿入部１５が形成されていて、この挿入部１５に挿入された上記支柱部材７の端部はねじ１６によって上記ケース１２に固定されている。
【００３９】
上記支柱部材７の上部外周面の一側には保持体１８が取り付け固定されている。この保持体１８には上面側が開放した断面形状が円形の収容部１９が形成され、この収容部１９には円柱状部材２１が下側の半分を嵌合させて取り付けられている。上記円柱状部材２１は上記保持体１８と一体であってもよい。
【００４０】
上記円柱状部材２１には軸方向に貫通した大径部２２ａと小径部２２ｂからなる挿通孔２２が穿設されている。この挿通孔２２には係合ピン２３が挿通されている。この係合ピン２３の下端には上記大径部２２ａとほぼ同径で、上記小径部２２ｂよりも大きな鍔２３ａが設けられていて、この鍔２３ａと上記保持体１８の収容部１９の内底面との間には上記係合ピン２３の先端部を上記挿通孔２２から突出方向に付勢した第１のばね２４が設けられている。
【００４１】
上記ケース１２の上記支柱部材７が取り付けられた部分よりも奥側、つまりケース１２の側面が閉塞された側には上端が上記ケース１２の上面に開放し、下端が上記ケース１２の上下方向中途部に開放した操作孔２６が形成されている。
【００４２】
上記操作孔２６は、下端側に位置する大径部２６ａと、上端側に位置する小径部２６ｂを有し、上記大径部２６ａの下端開口には円筒状の係合体２７が嵌合固定されている。つまり、上記係合体２７は上記操作孔２６の上面開口に対向する部位に設けられていることになる。
【００４３】
上記係合体２７には上下方向、つまり係合体２７の軸方向に沿って貫通する係合孔２８が形成されている。この係合孔２８は上記係合ピン２３が入り込むことができる内径寸法になっている。
【００４４】
上記操作孔２６の上部には解除部材３１が移動可能に設けられている。この解除部材３１は上記操作孔２６の大径部２６ａとほぼ同径の上部分の下端に、上記操作孔２６の小径部２６ｂとほぼ同径の下部分である、鍔３１ａが設けられている。
【００４５】
上記鍔３１ａの下面中央には下部が所定の長さで上記係合体２７の係合孔２８に入り込む大きさの解除ピン３２が突設されている。なお、解除ピン３２の上部は上記係合孔２８よりも大径に形成され、係合孔２８に入らないようになっている。
【００４６】
上記解除ピン３２にはコイル状の第２のばね３３が装着されている。この第２のばね３３は上記係合体２７の上面と、上記解除部材３１の鍔３１ａの下面との間に設けられていて、上記解除部材３１を復元力によって弾性的に保持している。
【００４７】
図４（ａ）に示すように、上記第２のばね３３の復元力によって上方に付勢された上記解除部材３１は、下端に設けられた上記鍔３１ａが上記操作孔２６の大径部２６ａと小径部２６ｂとの境界部分に係合する。その状態において、上記解除部材３１の上面３１ｂは上記操作孔２６の開口面よりも下方に位置するよう、上記大径部２６ａの高さ寸法に対する上記解除部材３１の高さ寸法が設定されている。
【００４８】
つまり、上記解除部材３１は、その上面３１ｂが上記操作孔２６の開口面と同じレベルにある、上記ケース１２の上面から上方へ突出しないようになっている。
【００４９】
図４（ａ）は上記支柱部材７が垂直に起立した状態を示し、図４（ｃ）は上記支柱部材７が垂直に起立する前の状態、つまり倒伏している状態を示している。上記支柱部材７を図４（ｃ）に示す状態から図４（ａ）に示すように垂直に起立させてゆくと、上記係合ピン２３の先端部が上記係合体２７の下面に当接して押圧され、第１のばね２４を圧縮させながら弾性的に変位して上記係合体２７の係合孔２８に係合する。
【００５０】
それによって、上記支柱部材７が垂直に起立した状態で倒伏不能に保持される。このとき、上記係合ピン２３の先端部が上記係合孔２８に係合するだけでなく、上記保持体１８に設けられた円柱状部材２1の上面が上記係合体２７の下面に面接触する。
【００５１】
それによって、上記支柱部材７を回動させる方向に加わる外力、つまり側柵装置４に加わる外力を、上記保持体１８の上面と上記係合体２７の下面と面接触によっても受けることになるから、上記側柵装置４が外力によってがた付き難いということがある。
【００５２】
図４（ａ）に示すように、上記支柱部材７が垂直に起立した状態に保持された側柵装置４を倒伏させるには、図４（ｂ）に示すように操作孔２６内に手の指を入れて、ケース１２の上面よりも下方に位置する解除部材３１の上面３１ｂを下方へ押圧する。
【００５３】
それによって、上記解除部材３１が第２のばね３３を圧縮変形させながら下方へ変位するから、上記解除部材３１の下面に設けられた解除ピン３２が上記係合体２７の係合孔２８の上方から下方に向かって移動する。そのため、上記係合孔２８に下方から入り込んだ上記係合ピン２３が第１のばね２４の復元力に抗して下方へ押圧されて変位する。
【００５４】
そして、上記解除部材３１を図４（ｂ）に示すように押し込み不能となる位置まで押し込むと、上記係合ピン２３が上記係合孔２８の下端にわずかに入り込んでいる状態となるまで下降する。
【００５５】
その状態で、上記上部横部材９を図４（ｃ）に矢印Ｘで示す方向へ移動させると、上記係合孔２８に上端部がわずかに係合した状態にある上記係合ピン２３が弾性的に変位して上記係合孔２８から外れるから、上記支柱部材７を上記補助支柱部材８とともに図１に鎖線で示すように倒伏させることができる。
【００５６】
上記構成の側柵装置４はストッパ機構１１を有し、ストッパ機構１１は、操作孔２６に設けられた解除部材３１を第２のばね３３の復元力に抗して押圧すると、上記解除部材３１の下端面に設けられた解除ピン３２が係合体２７の係合孔２８に係合した係合ピン２３を第１のばね２４の復元力に抗して押圧するから、上記係合ピン２３を上記係合孔２８から外して上記支柱部材７を上記補助支柱部材８とともに倒伏させることができる。つまり、側柵装置４を折り畳むことができる。
【００５７】
ところで、上記構成の側柵装置４が設けられたベッド装置の場合、利用者がベッド装置上で立ち上がるときなどに、利用者は上部横部材９を把持することがある。そのとき、上記上部横部材９の端部に設けられたストッパ機構１１のケース１２の部分を把持することがある。
【００５８】
しかしながら、上記ストッパ機構１１によって起立状態に保持された支柱部材７を倒伏させるためには、上記ケース１２の操作孔２６に設けられた解除部材３１を押圧しなければならない。
【００５９】
上記解除部材３１はその上面３１ｂが上記操作孔２６の上面開口よりも下方に位置するよう設定されている。そのため、利用者が上記上部横部材９のストッパ機構１１が設けられた端部を把持するようなことがあっても、上記解除部材３１が不用意に押圧操作されるということがないから、起立状態にある上記側柵装置４が利用者の意に反して倒伏するのを防止することができる。
【００６０】
しかも、上記解除部材３１を押圧して係合ピン２３を係合孔２８から外す場合、上記係合ピン２３を弾性的に保持した上記第１のばね２４の復元力と、上記解除部材３１を弾性的に保持した第２のばね３３の保持力に抗して上記解除部材３１を押圧しなければならないから、上記解除部材３１に不用意な外力が加わっても、この解除部材３１が簡単に押圧操作されるということがない。
【００６１】
したがって、このことによっても、起立状態にある上記側柵装置４が利用者の意に反して倒伏するのを防止することができる。
【００６２】
上記ケース１２の内部に挿入されて支軸１３によって枢着された支柱部材７の上端部には円弧状凸部１４ａをケース１２の開放した側面に向けた挟み込む防止部材１４が設けられている。
【００６３】
そのため、起立した支柱部材７を倒伏方向へ回動させるとき、上記ケースの開口した側面から内部に手や指を入れてしまうようなことがあっても、上記円弧状凸部１４ａによって手や指が上記支柱部材７の上端部と上記ケース１２の内面との間に挟まれるのを防止することができる。
【００６４】
上記側柵装置４を倒伏させると、図１に鎖線で示すように上記支柱部材７と、隣り合う支柱部材７の間に設けられた補助支柱部材８が上下方向に重なり合う。上記補助支柱部材８には断面が円形状の上記支柱部材７の一部が入り込む凹状部８ａが形成されている。
【００６５】
そのため、支柱部材７と補助支柱部材８とが倒伏して重なり合うと、支柱部材７の一部が補助支柱部材８の凹状部８ａに入り込むことで、図１にＨで示す支柱部材７と補助支柱部材８とがなす高さ寸法を低くすることができる。
【００６６】
上記高さ寸法Ｈを低くすることができれば、ベッド上の利用者が側柵装置４を跨いで降りる時に降り易くなるばかりか、ベッド上の利用者を側柵装置４を介して介護したり、診察するような場合も、介護者が作業をし易いということがある。
【００６７】
上記補助支柱部材８は支柱部材７よりも細い材料が用いられることが多いが、たとえば図３（ａ）に示すように帯状部材を幅方向に湾曲させて凹状部８ａを形成することで、扁平な帯状部材のときに比べて強度を向上させることが可能となる。
【００６８】
なお、上記一実施の形態では側柵装置をベッド本体の長手方向の長さの半分よりも短い長さ寸法の場合を例に挙げて説明したが、上記側柵装置の長さ寸法はベッド本体の長手方向の長さとほぼ同等であってもよく、その点はなんら制限されるものではない。
【００６９】
また、支柱部材を断面が円形状の場合を例に挙げて説明したが、支柱部材は断面が楕円形や角形などの非円形状であっても差し支えない。
【符号の説明】
【００７０】
１…ベッド本体、４…側柵装置、６…下部横部材、７…支柱部材、９…上部横部材、１１…ストッパ機構、１２…ケース、１４…挟み込み防止部材、１８…保持体、２３…係合ピン、２４…第１のばね、２６…操作孔、２７…係合体、２８…係合孔、３１…解除部材、３２…解除ピン、３３…第２のばね。
【図１】
0005728409.tif 000002
【図２】
0005728409.tif 000003
【図３】
0005728409.tif 000004
【図４】
0005728409.tif 000005